(57)【要約】【課題】Ｕ字形冷陰極管の両端部のピン端子に半田で接続されたランプワイヤに大きい引張力が作用した場合でも、半田が剥離して接続不良とならないように改良したランプソケットを提供する。【解決手段】Ｕ字形冷陰極管１の両端部を収容保持する一対の保持凹部２をソケット両端部に形成し、Ｕ字形冷陰極管の両端部のピン端子１ａに半田３で接続された２本のランプワイヤ４を下側から支持する一対のワイヤ支持部９を、ソケット両端部の一対の保持凹部２より内側に形成し、ランプワイヤ先端のコネクタ６とランプワイヤ４をソケット下方に引き出す上下方向の貫通穴８を、ソケット中央部のワイヤ支持部相互間に形成したランプソケットＬＳとする。ランプワイヤ４とワイヤ支持部９との摩擦抵抗によって半田接続部に作用する引張力を減衰か、接続不良とならないようにする。【選択図】図４
2011134466.tif 000002
【特許請求の範囲】
【請求項１】
Ｕ字形冷陰極管の両端部を収容保持する一対の保持凹部をソケット両端部に形成し、Ｕ字形冷陰極管の両端部のピン端子に半田接続された２本のランプワイヤを下側から支持する一対のワイヤ支持部を、ソケット両端部の一対の保持凹部より内側に形成し、ランプワイヤ先端のコネクタとランプワイヤをソケット下方に引き出す上下方向の貫通穴を、ソケット中央部のワイヤ支持部相互間に形成したことを特徴とするランプソケット。
【請求項２】
上記一対の保持凹部を連通させる連通溝部をソケット上部に形成し、その溝底面の中央部に上記貫通穴を形成し、該貫通穴を挟んで両側の溝底面を上記ワイヤ支持部の支持面としたことを特徴とする請求項１に記載のランプソケット。
【請求項３】
上記連通溝部の貫通穴を挟んで両側の溝底面を凸曲面としたことを特徴とする請求項２に記載のランプソケット。
【発明の詳細な説明】
【技術分野】
【０００１】
本発明は、液晶モジュールの内部にバックライトとして組み込まれるＵ字形冷陰極管の両端部に取付けるランプソケットに関し、更に詳しくは、Ｕ字形冷陰極管の両端部のピン端子に半田接続されたランプワイヤに大きい引張力が作用した場合でも、半田が剥離して接続不良とならないように改良したランプソケットに関する。
【背景技術】
【０００２】
液晶モジュール内部のＵ字形冷陰極管の両端部に取付けられる従来の一般的なランプソケット１００は、図５の（ａ）（ｂ）に示すように、Ｕ字形冷陰極管１の両端部を収容保持する左右一対の保持凹部２，２をソケット両端部に形成し、Ｕ字形冷陰極管１の両端部のピン端子１ａ，１ａに半田３で接続された２本のランプワイヤ４，４をソケット下方に引き出す穴５，５を、左右一対の保持凹部２，２の底部にそれぞれ形成した構造となっている。
【０００３】
一方、冷陰極管の両端に配線材を略垂直方向に接続し、その接続部を、外形が略Ｌ字形で内部が中空状のランプソケットで被覆した液晶用バックライトであって、ランプソケットの冷陰極管側の穴の口元から冷陰極管の中心軸方向に切込み部を設けることにより、冷陰極管と配線材との接続部にランプソケットを装着する際に、負荷を確実に抑えることができるようにした液晶用バックライトが知られている（特許文献１）。
【０００４】
また、冷陰極放電ランプの両端部を、リード線を備えた一対のホルダー兼用ソケットの支持孔で支持し、少なくとも一方のホルダー兼用ソケットに近接して冷陰極放電ランプ外周部に温度センサを配置すると共に、センサ用リード線をホルダー兼用ソケットから導出させることにより、液晶表示装置のバックライトに適する薄型・軽量化が可能な冷陰極放電ランプ装置も知られている（特許文献２）。
【先行技術文献】
【特許文献】
【０００５】
【特許文献１】特開２００６−３１８８４１号公報
【特許文献２】特開２００１−６４２６号公報
【発明の概要】
【発明が解決しようとする課題】
【０００６】
しかしながら、図５に示す従来のランプソケット１００は、Ｕ字形冷陰極管１の両端部のピン端子１ａ，１ａに半田３，３で接続されたランプワイヤ４，４が、保持凹部２，２の底部に形成された穴５，５から垂下状態でソケット下方に引き出されてコネクタ６につながっているため、組立作業中にコネクタ６やランプワイヤ４，４が強く引っ張られると、半田３，３が剥離して接続不良となり、Ｕ字形冷陰極管１の不点灯や発火を引き起こす等の問題があった。しかも、Ｕ字形冷陰極管１のピン端子１ａ，１ａとランプワイヤ４，４との半田接続作業は、ランプワイヤ４，４をランプソケット１００の穴５，５に挿通した状態で行わねばならないため、作業性が良くないという問題もあった。
【０００７】
一方、前記特許文献１の液晶用バックライトでは、冷陰極管と配線材との接続部にランプソケットを被覆装着する際に負荷を抑制することはできるが、この液晶用バックライトも、冷陰極管の両端に配線材を略垂直方向に半田接続してランプソケットの底部から配線材を垂下状態でソケット下方に引き出しているため、上記のランプソケット１００と同様に配線材に大きい引張力が作用すると、半田の剥離により接続不良となって冷陰極管の不点灯や発火を引き起こす危険性があり、また、配線材をランプソケットに挿通した状態で接続作業をしなければならないため、作業性が良くないという問題があった。
【０００８】
また、前記特許文献２の冷陰極放電ランプ装置も、冷陰極放電ランプの両端の端子にリード線を略直角に接続してホルダー兼用ソケットの底部からリード線を垂下状態でソケット下方に引き出しているため、上記と同様の問題があった。
【０００９】
本発明は上記の問題に鑑みてなされたもので、その解決しようとする課題は、Ｕ字形冷陰極管の両端部のピン端子に半田で接続されたランプワイヤに大きい引張力が作用した場合でも、半田が剥離して接続不良とならないように改良したランプソケットを提供することにある。
【課題を解決するための手段】
【００１０】
上記課題を解決するため、本発明に係るランプソケットは、Ｕ字形冷陰極管の両端部を収容保持する一対の保持凹部をソケット両端部に形成し、Ｕ字形冷陰極管の両端部のピン端子に半田で接続された２本のランプワイヤを下側から支持する一対のワイヤ支持部を、ソケット両端部の一対の保持凹部より内側に形成し、ランプワイヤ先端のコネクタとランプワイヤをソケット下方に引き出す上下方向の貫通穴を、ソケット中央部のワイヤ支持部相互間に形成したことを特徴とするものである。
尚、本明細書にいう「Ｕ字形冷陰極管」には、１本の冷陰極管をＵ字形に曲げ加工したものの他に、２本の直状の冷陰極管を平行に並べて一端側のピン端子同士をコネクティングプレートで接続した所謂「疑似Ｕ字形冷陰極管」も含まれる。
【００１１】
本発明のランプソケットにおいては、上記一対の保持凹部を連通させる連通溝部をソケット上部に形成し、その溝底面の中央部に上記貫通穴を形成し、該貫通穴を挟んで両側の溝底面を上記ワイヤ支持部の支持面とすることが好ましい。そして、上記連通溝部の貫通穴を挟んで両側の溝底面を凸曲面とすることが更に好ましい。
【発明の効果】
【００１２】
本発明のランプソケットでは、Ｕ字形冷陰極管の両端部がソケット両端部の一対の保持凹部に収容保持され、Ｕ字形冷陰極管の両端部のピン端子に半田で接続された２本のランプワイヤが、一対の保持凹部より内側に形成された一対のワイヤ支持部で下側から支持され、ソケット中央部のワイヤ支持部相互間に形成された上下方向の貫通穴を通って、ランプワイヤ先端のコネクタとランプワイヤがソケット下方に引き出される。このように、２本のランプワイヤがソケット中央部の貫通穴からソケット下方に引き出されるまでに一対のワイヤ支持部で下側から支持される構造のランプソケットであると、ランプワイヤに大きい引張力が作用した場合でも、ランプワイヤとワイヤ支持部との摩擦抵抗や、ランプワイヤと貫通穴の上端開口縁との摩擦抵抗によって、ランプワイヤとＵ字形冷陰極管両端部のピン端子との半田接続部に作用する引張力が大幅に減衰されるため、半田が剥離して接続不良を引き起こすことがなくなり、接続不良に起因するＵ字形冷陰極管の不点灯や発火の問題を解決することが可能となる。
【００１３】
また、本発明のランプソケットは、Ｕ字形冷陰極管両端部のピン端子とランプワイヤを予め半田で接続し、ランプワイヤとその先端のコネクタを上向きにした状態で、Ｕ字形冷陰極管の両端部をソケット両端部の保持凹部に収容保持させた後、ランプワイヤとその先端のコネクタを上方からソケット中央部の貫通穴に通してソケット下方へ引き出すことができるので、従来のランプソケットようにランプワイヤを穴に通してからピン端子に半田接続するものに比べると、半田接続作業性が向上する利点がある。
【００１４】
また、一対の保持凹部を連通させる連通溝部をソケット上部に形成して、その溝底面の中央部に貫通穴を形成すると共に、該貫通穴を挟んで両側の溝底面をワイヤ支持部の支持面としたランプソケットは、ランプワイヤを連通溝部を通して配線できるので、ランプソケットの上側に露出せず、ランプワイヤの納まりが良くなる利点がある。
【００１５】
特に、連通溝部の貫通穴を挟んで両側の溝底面を凸曲面としたランプソケットは、ランプワイヤと溝底面との接触距離が長くなると共に、ランプワイヤに下向きの引張力が作用したときランプワイヤが溝底の凸曲面に圧接して、ランプワイヤと凸曲面との摩擦抵抗が増大するため、Ｕ字形冷陰極管のピン端子とランプワイヤとの半田接続部に作用する引張力が更に減衰される利点がある。
【図面の簡単な説明】
【００１６】
【図１】本発明の一実施形態に係るランプソケットの斜視図である。
【図２】同ランプソケットの平面図である。
【図３】図２のＡ−Ａ線断面図である。
【図４】図２のＢ−Ｂ線断面図である。
【図５】従来のランプソケットを示すもので、（ａ）はその側面図、（ｂ）はその断面図である。
【発明を実施するための形態】
【００１７】
図１〜図４に示す実施形態のランプソケットＬＳは、摩擦係数が大きい弾力性のある合成ゴムや合成樹脂などのエラストマーからなるものであって、このランプソケットＬＳの両端部には、Ｕ字形冷陰極管１の両端部を収容保持する一対の保持凹部２，２が形成されている。この保持凹部２は、図４に示すように、円形空洞部２ａの上側に円形空洞部２ａの直径よりも幅が狭いスリット部２ｂを一体に形成したものであり、このスリット部２ｂを押し開きながらＵ字形冷陰極管１の両端部を、ランプワイヤ４が半田３で接続されたピン端子１ａと共に、上方から円形空洞部２ａに嵌め込むことによって、ワンタッチで収容保持できるようになっている。
【００１８】
図２に示すように、ランプソケットＬＳの上部には、上記一対の保持凹部２，２を連通させる連通溝部７が形成されており、この連通溝部７の中央部の溝底面には、図２，図４に示すように、ランプワイヤ４，４先端のコネクタ６とランプワイヤ４，４をソケット下方に引き出す長方形開口を備えた上下方向の貫通穴８が形成されている。
【００１９】
図４に示すように、上記一対の保持凹部２，２より内側には、Ｕ字形冷陰極管１のピン端子１ａ，１ａに半田３で接続された２本のランプワイヤ４，４を下側から支持する一対のワイヤ支持部９，９が形成されている。このワイヤ支持部９，９は、上記連通溝部７の貫通穴８の両側の溝底面７ａ，７ａを隆起させて凸曲面とすることにより形成されたものであって、ランプワイヤ４，４がこのワイヤ支持部９，９の凸曲支持面（溝底面７ａ，７ａ）に沿って円弧状に曲がりながら貫通穴８からソケット下方に引き出されるようになっている。
【００２０】
尚、１０はランプソケットＬＳの下部に形成された嵌合脚部であって、この嵌合脚部１０を液晶モジュールのリアフレームに形成された取付穴に嵌合することによってランプソケットＬＳがリアフレームに取付固定され、ランプワイヤ４，４とその先端のコネクタ６がリアフレームの背後に引き出されるようになっている。
【００２１】
以上のような構成のランプソケットＬＳは、Ｕ字形冷陰極管１の両端部がソケット両端部の一対の保持凹部２，２に収容保持され、Ｕ字形冷陰極管１の両端部のピン端子１ａ，１ａに半田３で接続された２本のランプワイヤ４，４が連通溝部７に嵌め込まれて、一対のワイヤ支持部９，９の凸曲支持面（連通溝部７の貫通穴８の両側の溝底面７ａ，７ａ）で下側から支持され、ランプワイヤ４，４が円弧状に滑らかに曲がって、ワイヤ先端のコネクタ６と共にソケット中央部の貫通穴８からソケット下方に引き出される。このように、２本のランプワイヤ４，４がソケット中央部の貫通穴８からソケット下方に引き出されるまでに一対のワイヤ支持部９，９によって下側から支持される構造であると、ランプワイヤ４，４に大きい引張力が作用した場合でも、ランプワイヤ４，４とワイヤ支持部９，９の支持面（溝底面７ａ）との摩擦抵抗や、ランプワイヤ４，４と貫通穴８の上端開口縁との摩擦抵抗によって、ランプワイヤ４，４とピン端子１ａ，１ａとの半田接続部に作用する引張力が大幅に減衰されるため、半田３が剥離して接続不良を引き起こすことがなくなり、接続不良に起因するＵ字形冷陰極管１の不点灯や発火の問題を解決できるようになる。
【００２２】
特に、この実施形態のランプソケットＬＳのように、連通溝部７の貫通穴８を挟んで両側の溝底面７ａ，７ａを凸曲面とすることにより、凸曲支持面を有する一対のワイヤ支持部９，９を形成してあると、ランプワイヤ４，４とワイヤ支持部９，９の凸曲支持面（溝底面７ａ）との接触距離が長くなると共に、ランプワイヤ４，４に下向きの引張力が作用したときランプワイヤ４，４がワイヤ支持部９，９の凸曲支持面（溝底面７ａ）に圧接して、ランプワイヤ４，４と凸曲支持面との摩擦抵抗が増大するため、ピン端子１ａ，１ａとランプワイヤ４，４との半田接続部に作用する引張力が更に減衰されることになる。
【００２３】
また、このランプソケットＬＳは、Ｕ字形冷陰極管１両端部のピン端子１ａ，１ａとランプワイヤ４，４を予め半田３で接続し、ランプワイヤ４，４とその先端のコネクタ６を上向きにした状態で、Ｕ字形冷陰極管１の両端部をソケット両端部の保持凹部２，２に収容保持させた後、ランプワイヤ４，４とその先端のコネクタ６を上方からソケット中央部の貫通穴８に通してソケット下方へ引き出すことができるので、従来のランプソケットようにランプワイヤを穴に通してからピン端子に半田接続するものに比べると、半田接続作業性が大幅に向上することになる。そして、ランプワイヤ４，４は、連通溝部７に嵌め込んで配線できるので、ランプソケットＬＳの上側に露出しなくなり、ランプワイヤ４，４の納まりも良くなる。
【００２４】
以上の実施形態のランプソケットＬＳは、連通溝部７の溝幅と貫通穴８の短径を同一にしているが、連通溝部７の貫通穴８を挟んで両側の溝幅をランプワイヤ４，４の線径と同一もしくは若干小さく設定し、連通溝部７の側壁でランプワイヤ４，４を挟持させるように構成することも好ましい。このようにすると、ランプワイヤ４，４と連通溝部７の側壁との摩擦抵抗が加わるため、ピン端子１ａ，１ａとランプワイヤ４，４との半田接続部に作用する引張力が更に減衰される利点がある。
【００２５】
更に、連通溝部７の貫通穴８を挟んで両側部分を緩やかに蛇行させたり湾曲させたりすると、ランプワイヤ４，４と連通溝部７の側壁との摩擦抵抗力がより一層増大するので、ピン端子１ａ，１ａとランプワイヤ４，４との半田接続部に作用する引張力が著しく減衰される利点がある。
【符号の説明】
【００２６】
１    Ｕ字形冷陰極管
１ａ  ピン端子
２    保持凹部
３    半田
４    ランプワイヤ
６    コネクタ
７    連通溝部
７ａ  貫通穴を挟んで両側の溝底面（凸曲面，凸曲支持面）
８    貫通穴
９    ワイヤ支持部
ＬＳ  ランプソケット
【図１】
2011134466.tif 000003
【図２】
2011134466.tif 000004
【図３】
2011134466.tif 000005
【図４】
2011134466.tif 000006
【図５】
2011134466.tif 000007